(57)【特許請求の範囲】
【請求項１】
各文書に対して設定の値に従って文書を処理するステップを含む、それぞれある値に設定できる複数の設定に従って文書を処理することができる画像処理装置上で文書を処理する方法であって、
文書を処理するステップの前に、
（ａ）設定の第１のサブセットを規定するステップと、
（ｂ）第１のサブセットと区別する、設定の第２のサブセットを規定するステップと、
（ｃ）第１のサブセットの各設定に対して値を設定するステップと
を含み、処理される各文書に対して、
（ｄ）ユーザにより、ジョブデータ、ならびに（ａ）および（ｂ）で規定される設定を伴うジョブを生成するステップと、
（ｅ）ユーザに第２のサブセットの設定の値を指定させるために、第２のサブセットの各設定に対して値を自動的に要求するステップと、
（ｆ）ユーザにより第２のサブセットの各設定に対して値を入力するステップと
をさらに含むことを特徴とする、方法。
【請求項２】
第１のサブセットおよび第２のサブセットを含む、ユーザが選択できる事前に保存された１組の設定であるテンプレートを生成する追加ステップを含むことを特徴とする、請求項１に記載の方法。
【請求項３】
画像処理装置がプリンタ、コピー機、またはスキャナである、請求項２に記載の方法。
【請求項４】
画像処理装置が、前記（ｅ）ユーザに第２のサブセットの設定の値を指定させるために、第２のサブセットの各設定に対して値を自動的に要求するステップと、前記（ｆ）ユーザにより第２のサブセットの各設定に対して値を入力するステップが実行されるローカルのユーザインタフェースを含む、請求項３に記載の方法。
【請求項５】
画像処理装置がプリンタであり、前記（ｅ）ユーザに第２のサブセットの設定の値を指定させるために、第２のサブセットの各設定に対して値を自動的に要求するステップと、前記（ｆ）ユーザにより第２のサブセットの各設定に対して値を入力するステップが、ユーザのワークステーション上のユーザインタフェースを介して実行される、請求項３に記載の方法。
【請求項６】
ユーザインタフェースがＷｅｂユーザインタフェースである、請求項５に記載の方法。
【請求項７】
ユーザインタフェースがプリンタドライバのユーザインタフェースである、請求項５に記載の方法。
【請求項８】
画像処理装置がプリンタであり、方法がユーザのワークステーションのユーザインタフェースを介して部分的に実行され、画像処理装置のユーザインタフェースを介して部分的に実行される、請求項３に記載の方法。
【請求項９】
請求項１による方法の、前記（ｅ）ユーザに第２のサブセットの設定の値を指定させるために、第２のサブセットの各設定に対して値を自動的に要求するステップと、前記（ｆ）ユーザにより第２のサブセットの各設定に対して値を入力するステップを実行するように構成されるユーザインタフェースを含む画像処理装置。
【発明の詳細な説明】
【技術分野】
【０００１】
本発明は、各文書に対して設定の値に従って文書を処理するステップを含む、それぞれある値に設定することができる複数の設定に従って文書を処理することができる画像処理装置上で文書を処理する方法に関する。
【背景技術】
【０００２】
デジタル文書を処理するそのような方法が、たとえば欧州特許出願公開第１５５７７４９号明細書により開示された。この特許出願で開示された方法は、ユーザのワークステーションから文書を印刷するのに適しており、デジタル文書ファイルをプリンタに提出するためにプリンタドライバを活動化させるステップと、プリンタドライバでプリント処理設定を指定するステップと、文書ファイルおよび設定をプリンタに提出するようドライバに命令するステップとを含み、設定の値は個々にまたは一括して指定される。そのような一括指定がユーザ選択可能な事前に記憶された１組の設定の選択として規定され、しばしばテンプレートと呼ばれる。たとえば、プリンタドライバのウィンドウが、そのような事前に記憶された１組の設定に関連する複数のボタンを含む。
【０００３】
米国特許出願公開第２００７／００９７４３７号明細書でもテンプレートが使用されている。この特許出願によれば、ユーザが印刷機器にジョブを提出するとき、いくつかのトレーからのトレー選択と組み合わせて、いくつかの媒体設定テンプレートから媒体設定テンプレートを選択することができる。媒体設定テンプレートが、印刷機器に対して利用できる媒体を含む設定の第１のサブセットを含む。トレーが、印刷機器のトレーを含む設定の第２のサブセットから選択される。印刷機器にジョブを提出している間、ユーザが設定の第１のサブセット（媒体設定テンプレート）を要求するたびに、ユーザはまた設定の第２のサブセット（印刷機器のトレー）から選択をしなければならない。媒体設定テンプレートにはトレーフィールドは含まれない。
【０００４】
上記で言及された欧州特許出願公開第１５５７７４９号明細書によれば、所定の１組の設定の少なくとも１つの値が、個々に指定されユーザにより確認されるたびに、新しいテンプレートが自動的に規定され、プリンタドライバ内で選択可能にされる。しかしながらこの様態は、ユーザがそのような値をしばしば変更する場合、多数のテンプレートをもたらす。この問題を克服するためには、新しく規定されたテンプレートが、たとえば即座に恒久的になり得るのではなく、ユーザの保存動作により恒久的にされ得る。
【先行技術文献】
【特許文献】
【０００５】
【特許文献１】欧州特許出願公開第１５５７７４９号明細書
【特許文献２】米国特許出願公開第２００７／００９７４３７号明細書
【発明の概要】
【発明が解決しようとする課題】
【０００６】
一部の設定では、値はジョブごとに変わることがある。たとえば、ジョブのいくつかのコピーが、または、スキャンジョブの場合にはスキャンジョブの結果が送信されなければならない電子メールアドレスが、その後のジョブに対して変わることがある。設定値が変わるたびに、ジョブは別のテンプレートを使って規定されなければならない。設定値が変わるたびに、ユーザは別のテンプレートを選択または生成しなければならない。これは、実質的にかなりの量の時間がかかり、ユーザにとって繰り返し動作となる。
【０００７】
本発明の目的は、上述の問題が緩和される、画像処理装置上で文書を処理する方法を提供することである。
【課題を解決するための手段】
【０００８】
この目的は、文書を処理する前に、設定の第１のサブセットを規定するステップと、第１のサブセットと区別する設定の第２のサブセットを規定するステップと、第１のサブセットの各設定に対して値を設定するステップとを含む方法により達成され、方法は、処理される各文書に対して、ジョブデータ、ならびに第１のサブセットおよび第２のサブセットを含む設定を伴うジョブをユーザにより生成するステップと、第２のサブセットの各設定に対して値を自動的に要求するステップと、ユーザにより第２のサブセットの各設定に対して値を入力するステップとをさらに含む。
【０００９】
設定に対して値を変える頻度は、多数のジョブに対して設定の値が同一の状況から、ジョブごとに設定の値が変化することになる状況まで変わることがある。したがって、文書処理のために任意のジョブを生成する前に、ユーザは複数の設定のうち２つのサブセットを選択することができる。多数のジョブに対して同一の値を有し一度に設定されるのに適した設定を含む、複数の設定のうちの第１のサブセットが選択されることができる。値がより頻繁に変わる設定を含む、第１のサブセットと区別する、複数の設定のうちの第２のサブセットが選択されることができる。第１のサブセットの規定、第１のサブセットに対する値の設定、および第２のサブセットの規定が、ユーザにより個々に、または情報サービス部門により会社ごとに行われることがある。
【００１０】
処理される各文書に対して、文書を処理するために、ジョブデータ、ならびに第１のサブセットおよび第２のサブセットを含む本明細書の上述の複数の設定を伴うジョブが生成される。第１のサブセットの値が設定され、第１のサブセットの値に従って文書が処理されることになる。文書を処理する前、ユーザは、画像処理装置のユーザインタフェースを介して、またはユーザのワークステーション上のユーザインタフェースを介して、たとえば画像処理装置に適したドライバのユーザインタフェースを介して、第２のサブセットの値を要求される。第２のサブセットの設定の数は一般に大きくないので、第２のサブセットの値の入力に非常に多くの時間がかかるわけではない。第２のサブセットの各設定がユーザにより入力された値を提供されるまで、ジョブは処理されない。ユーザにより第２のサブセットの値が提供されるとすぐに、第２のサブセットの値はジョブの複数の設定に設定され、文書が第１のサブセットおよび第２のサブセットの値に従って画像処理装置により処理されることができる。ユーザは第２のサブセットの値を実際に入力しなければならないので、ユーザがこれらの値を入力することを忘れることはあり得ない。
【００１１】
一実施形態では、方法は、欧州特許出願公開第１５５７７４９号明細書により規定されるように、第１のサブセットの各設定に対して値が設定された、第１のサブセットおよび第２のサブセットを含むテンプレートを生成する追加のステップを含む。第１のサブセットの値は、多数のジョブに対して同じとなることがある。第１のサブセットの値のインスタンスごとに、少なくとも１つの第２のサブセットが規定されることがある。この実施形態を適用することにより、前に言及された従来技術の問題が、上記で規定されるような第１のサブセットおよび第２のサブセットを含むテンプレートの生成により緩和される。画像処理装置上で処理されるいくつかのジョブがそのようなテンプレートを使用することができる。第１のサブセットおよび第２のサブセットは、処理されるジョブの生成前に、たとえばテンプレートの生成中に規定されることがある。
【００１２】
第１のサブセットの値は、ジョブの設定のときに必要とされるが、任意のジョブの生成前のテンプレートの生成中に設定される。第１のサブセットおよび第２のサブセットを規定するステップ、および第１のサブセットの値を設定するステップの後に、テンプレートの規定が完了する。ユーザは、文書を画像処理装置上で処理するために、いくつかのジョブに特有のジョブに対してこのテンプレートを使用することを決定することができる。ユーザが画像処理装置用プリンタドライバ、画像処理装置のローカルのユーザインタフェース、または画像処理装置のためのＷｅｂユーザインタフェースを用いてこの決定を明らかにするとすぐに、ユーザは第２のサブセットの値を入力するよう自動的に要求される。そのような要求は、文書が処理される前に行われる。ユーザは、プリンタドライバ、ローカルのユーザインタフェース、またはＷｅｂユーザインタフェースを用いて第２のサブセットの値を入力する。第２のサブセットの値を入力した後、第１のサブセットおよび第２のサブセットを含むジョブの設定が完了し、ジョブは画像処理装置により処理される準備ができている。ジョブは、第１のサブセットおよび第２のサブセットの値を含むジョブの設定を考慮して、画像処理装置により処理される。
【００１３】
一実施形態では、設定の第１のサブセットだけを含むテンプレートが生成される。設定の第２のサブセットはテンプレートの一部ではないが、ユーザのワークステーション上に、または画像処理装置のメモリ内に記憶されることがある。第２のサブセットはユーザインタフェースを介して追加で要求されることがある。ユーザインタフェースは、画像処理装置の一部でも、ユーザのワークステーション上のプログラムの一部でもよい。
【００１４】
一実施形態では、方法は、いくつかの前に生成されたテンプレートに基づき追加のテンプレートの生成を自動的に提案するステップを含む。テンプレートが大多数の設定、およびこの大多数の設定の値も共通に有するような方法でいくつかのテンプレートが生成されると仮定する。ユーザは、共通設定の共通の値の第１のサブセット、およびいくつかの前に生成されたテンプレートに含まれちょうど規定された第１のサブセットの一部でない設定の第２のサブセットを含む新しいテンプレートの生成を提案されることがある。新しいテンプレートの生成後、いくつかの前に生成されたテンプレートはユーザにより削除されることができる。これは、テンプレートの数が低減され、より調査しやすくなるので有利である。
【００１５】
一方、たとえば処理装置のコントローラにより、テンプレートが少数の値を除き第２のサブセットの同じ値で頻繁に使用されていることが認められる場合、処理装置は、たとえば処理装置のユーザインタフェースを介して、多くのジョブに対して値が同じである第２のサブセットの設定が第２のサブセットから第１のサブセットに移される新しいテンプレートを生成するようユーザに提案することができる。この方法では、第２のサブセット内の設定の数が低減されたので、テンプレートを使用するユーザは第２のサブセットの値を入力する際にそれほど努力する必要がない。
【００１６】
一実施形態では、プリンタ、コピー機、スキャナ、または、印刷、コピー、およびスキャンニングの機能の２つ以上を結合する多機能装置上で文書を処理する方法が意図される。プリンタの場合、プリントジョブ設定が設定されることができる。また、プリントジョブ設定を含むテンプレートがユーザにより使用されることができる。
【００１７】
コピー機の場合、コピージョブ設定が、コピー機に結合されるローカルのユーザインタフェースを介して、またはコピー機に接続されるワークステーションを介して設定されることができる。また、コピー機上に記憶されることができるコピージョブ設定を含むテンプレートが使用されることができる。
【００１８】
スキャナの場合、スキャンジョブ設定が、スキャナに結合されるローカルのユーザインタフェースを介して、またはスキャナに接続されるワークステーションを介して設定されることができる。また、スキャンジョブ設定を含むテンプレートが使用されることができる。
【００１９】
一実施形態では、画像処理装置はプリンタである。ユーザは、第１のサブセットおよび第２のサブセットを使ってテンプレートを生成するために、プリンタに適した、ユーザのワークステーション上にインストールされるドライバを使用することができる。ユーザは生成されたテンプレートを、ドライバを介して選択し、プリンタにジョブデータおよび設定を送信することを試みることができる。そうすることにより、次に、ユーザはドライバにより第２のサブセットの値を入力するよう促されることができる。第２のサブセットの値を完成させた後、ジョブ設定が完了し、ジョブはプリンタに自動的に送信されることができる。
【００２０】
プリンタを有する別の実施形態では、ユーザはたとえばドライバを介してジョブのために第１のサブセットおよび第２のサブセットを使って、前に生成されたテンプレートを選択し、実際には第２のサブセットの値を入力することなくプリンタにジョブを送信することができる。ジョブがプリンタに到着すると、ユーザがプリンタに到着するまで、ジョブは保留される。ユーザは、ジョブに関連する文書をプリンタに印刷させるために、プリンタのローカルのユーザインタフェースを介してジョブを解放することができる。ジョブを解放するとき、ユーザは、ジョブのテンプレートの設定の一部である第２のサブセットの値を要求される。この方法では、ジョブは、ジョブのテンプレートの第１のサブセットおよび第２のサブセットの値を考慮して処理される。
【００２１】
一実施形態では、画像処理装置はプリンタであり、方法はユーザのワークステーション上のユーザインタフェースを介して実行される。方法のすべてのステップが、ユーザのワークステーション上にインストールされるプログラムのユーザインタフェースを介して実行される。そのようなプログラムはドライバでもよく、設定の第１のサブセットおよび第２のサブセットを示す。
【００２２】
一実施形態では、ユーザインタフェースはＷｅｂユーザインタフェースである。ユーザのワークステーションにはローカルエリアネットワーク、広域ネットワーク、またはインターネットへの接続がある。Ｗｅｂユーザインタフェースは、設定の第１のサブセットおよび第２のサブセットに対して値で埋められるべきフィールドを含む。
【００２３】
一実施形態では、画像処理装置はプリンタであり、方法は、ユーザのワークステーションのユーザインタフェースを介して部分的に実行され、画像処理装置のユーザインタフェースを介して部分的に実行される。たとえば、第１のサブセットおよび第２のサブセットを生成するステップ、ならびに第１のサブセットの各設定に対して値を設定するステップが、ワークステーションのユーザインタフェースを介して実行されることができる。これらのステップを実行した後、ユーザは、ワークステーションのユーザインタフェースを介して各文書が処理されるジョブを生成し、ジョブをプリンタに提出することができる。ジョブがプリンタに到着し、ジョブがプリンタのユーザインタフェースを介して選択されることができるとき、第２のサブセットの各設定に対する値を自動的に要求しユーザにより第２のサブセットの各設定に対して値を入力する残りのステップが、プリンタのユーザインタフェースを介して実行されることができる。
【００２４】
一実施形態では、第１のサブセットおよび第２のサブセットを規定し第１のサブセットの値を設定する方法のステップは、Ｗｅｂユーザインタフェースを用いて実行され、Ｗｅｂユーザインタフェースは、規定された設定および値を画像処理装置に送信することを可能にしている。第２のサブセットに対する値の設定は、画像処理装置のユーザインタフェースを介して実行されることができる。
【００２５】
本発明はまた、発明された方法のステップを実行するように構成されるユーザインタフェースを含む画像処理装置に関する。
【００２６】
本発明は、図１から図８と併せて実施形態を参照することにより説明される。
【図面の簡単な説明】
【００２７】
【図１】ワークステーションおよび画像処理装置のネットワークシステムを示す。
【図２】本発明の一実施形態による画像処理装置の概略の機能図を示す。
【図３】本発明の一実施形態によるユーザのワークステーション上のユーザインタフェースのウィンドウの概略図を示す。
【図４Ａ−１】プリンタ上のユーザインタフェースのウィンドウの概略図を示す。
【図４Ａ−２】プリンタ上のユーザインタフェースのウィンドウの概略図を示す。
【図４Ｂ−１】スキャナ上のユーザインタフェースのウィンドウの概略図を示す。
【図４Ｂ−２】スキャナ上のユーザインタフェースのウィンドウの概略図を示す。
【図４Ｃ−１】コピー機上のユーザインタフェースのウィンドウの概略図を示す。
【図４Ｃ−２】コピー機上のユーザインタフェースのウィンドウの概略図を示す。
【図５】印刷される文書の場合、プリンタドライバを用いて実行される発明された方法のステップを提示する流れ図を示す。
【図６】印刷される文書の場合、ユーザにより、部分的にプリンタドライバを用いて、部分的にプリンタのユーザインタフェースを用いて実行される発明された方法のステップを提示する流れ図を示す。
【図７】スキャンされる文書の場合、ユーザにより実行される発明された方法のステップを提示する流れ図を示す。
【図８】コピーされる文書の場合、ユーザにより実行される発明された方法のステップを提示する流れ図を示す。
【発明を実施するための形態】
【００２８】
図１はローカルネットワークＮに接続されるワークステーション１を含むシステムを示す。本発明の一実施形態による方法は、画像処理装置２が、ワークステーション１の１つで作業をしており１組の文書を印刷またはスキャンする意図があるユーザに利用できる、また、文書をコピーしたいだけのユーザに利用できるこの種の環境での使用に特に適している。画像処理装置２はネットワークＮに接続され、ワークステーション１から印刷ジョブを受け取るのに適している。ネットワークＮは無線でもよい。画像処理装置２はユーザインタフェース９を含み、ユーザインタフェース９はさらに続けて説明される。
【００２９】
一実施形態では、ワークステーション１のそれぞれが、ワークステーションにログインしたユーザに画像処理装置２上で文書を印刷させるためにプロセッサユニット、表示ユニット、キーボードおよびマウス、または別の入力手段を提供されたパーソナルコンピュータである。
【００３０】
図２に示される一実施形態では、画像処理装置２は、開始ボタン８および取り消しボタン７を含むユーザインタフェース９、ならびにメモリ要素４たとえばハードディスクを含むコントローラ３を含み、デジタル文書の印刷を実行するために、表示手段２５、ならびにユーザが指令を入力することができるようにするための入力手段２４たとえばキーボードおよびマウスにさらに接続される。表示手段２５はタッチスクリーンにより実現されることがある。取り消しボタン７および開始ボタン８は、表示手段２５がタッチスクリーンである場合、表示手段２５の一部となることがある。メモリ要素４はローカルネットワークＮ（図１）を介して画像処理装置２に提出された複数のジョブを含むのに適している。複数のジョブの一部が表示手段２５上に表示されることができる。ユーザが、自分が処理したいジョブを表示手段２５上で選択することができる。
【００３１】
一実施形態では、ユーザのワークステーションからユーザにより提出される印刷ジョブの場合、ワークステーションにはいわゆるプリンタドライバが提供される。プリンタドライバがワークステーションのプロセッサユニットにより制御されるアプリケーションであり、印刷装置にデジタル文書を提出するタスクを印刷ジョブとして実行することができる。この実施形態の流れ図が図５に示されている。ワークステーションのメモリ手段上に記憶される、またはワークステーション上で実行されているアプリケーションプログラムにより生成される１つまたは複数のデジタル文書をユーザが印刷したいとき、ユーザは、たとえばこの目的のために意図されるアイコン（図示せず）をクリックすることによりプリンタドライバを呼び出す（Ｓ５００）。インタフェースが、印刷される１つまたは複数のデジタル文書のためのテンプレートを、たとえば欧州特許出願公開第１５５７７４９号明細書で説明されるテンプレートを生成するためのボタンを表示する。ユーザが新しいテンプレートを生成したい場合（Ｓ５１０）、ユーザはテンプレート生成ボタンを選択する（Ｓ５２０）。テンプレート生成ボタンをクリックした後、プリンタドライバは、印刷設定３１および入力フィールド３２を含む、図３に示されるウィンドウ３０を示すことができる。印刷設定３１の値はユーザにより入力フィールド３２内に印刷設定に対する値を入力する（Ｓ５５０）ことにより指定される。この時点で値が、たとえばプリンタ名称、印刷範囲、およびファイルへ出力のオプションが設定される印刷設定は、本発明による第１のサブセットを規定する（Ｓ５３０）。この時点で値が、たとえばカラー／グレースケールのオプションがまだ設定されない印刷設定は、本発明による第２のサブセットを規定する（Ｓ５４０）。ユーザは、テンプレートに名称３８を付与し保存ボタン３９を押下することにより、規定されたテンプレートを保存する（Ｓ５６０）。ユーザが別のテンプレートを生成したい場合、上記で説明されたステップＳ５２０〜Ｓ５６０が繰り返されることができる。別の実施形態では、説明されたステップＳ５２０〜Ｓ５６０は、プリンタドライバと別個に構成されるテンプレートドライバの呼び出しにより実行されることができる。この実施形態によれば、第１のサブセットおよび第２のサブセットは、入力フィールド３２内に印刷設定に対する値を入力することにより暗黙のうちに規定される。
【００３２】
別の実施形態では、第１のサブセットを規定するステップ（Ｓ５３０）および第２のサブセットを規定するステップ（Ｓ５４０）は第１のサブセットの値を入力するステップ（Ｓ５５０）から分離され、第１のサブセットの値を入力するステップ（Ｓ５５０）に先行することがある。
【００３３】
ユーザは、プリンタ２に送信されるジョブを生成するとき、生成されたテンプレートを使用することができる。したがって、プリンタドライバは、保存されたテンプレートのリスト４１ａを介してユーザによりテンプレートが選択されることができる（Ｓ５７０）、図４ａ−１によるウィンドウを示すことができる。ウィンドウは無効にされた開始ボタン４５を含む。テンプレートの、たとえばテンプレート−１の選択後、図４ａ−２によるウィンドウが、印刷設定４２の第２のサブセットに対する入力フィールド４３を示すために表示されることができる。ユーザは入力フィールド４３内に値を入力する（Ｓ５８０）。ジョブは、有効にされた開始ボタン４４を押下する（Ｓ５９０）ことによりプリンタに送信されることができる。プリンタ２にジョブが到着した後、ユーザは、印刷されるジョブを選択することができ、開始ボタン８（図２）を押下することができる。ジョブは、プリンタのユーザインタフェースを介して任意の追加の印刷設定を要求することなく印刷される。
【００３４】
別の実施形態では、プリンタドライバを介してワークステーションで印刷ジョブが生成される。この実施形態のフローチャートが図６に示されている。プリンタドライバが呼び出され（Ｓ６００）、ユーザは利用できるテンプレートのリストからテンプレートを選択する（Ｓ６１０）。しかしながら、テンプレートを選択した後、ジョブは印刷ボタンを押下することにより（Ｓ６２０）プリンタ２（図２）に即座に送信され、プリンタ２のメモリ４（図２）内に保存される。ユーザはプリンタまで赴いて（Ｓ６３０）、プリンタ２の場所で、メモリ４内の印刷ジョブが、たとえばプリンタ２の表示手段２５（図２）を介して印刷するために選択されることができる（Ｓ６４０）。メモリ４内の印刷ジョブが処理されるように選択されたとき、表示手段２５により図４ａ−２によるウィンドウに類似するウィンドウが示される。ウィンドウは、ジョブに属する印刷設定のまだ指定されていない値に対する入力フィールドを含む。ユーザは入力フィールドの中に値を入力することにより残りの設定を指定しなければならない（Ｓ６５０）（ジョブが誤っている、または印刷される必要がない場合、ジョブは取り消しボタン７（図２）を用いて取り消されることができる）。本明細書において上記で説明されたようにプリンタの場所でユーザにより指定されるべき印刷設定は、本発明による印刷設定の第２のサブセットと呼ばれる。ユーザがウィンドウ上ですべての入力フィールドに入力した場合、ユーザインタフェース９（図２）の開始ボタン８（図２）、またはウィンドウ上の開始ボタンが、プリンタ２に印刷ジョブを処理させるために押下されることができる（Ｓ６６０）。
【００３５】
一実施形態では、印刷ジョブがユーザのワークステーション上に常駐するアプリケーションプログラムの出力である。アプリケーションは、第１の１組の印刷設定が、アプリケーションを用いて印刷ジョブを準備している間に設定されるような方法で構成されることができる。ユーザが自分の印刷ジョブを画像処理装置２（図２）に送信するとき、少なくとも２つの可能性がある。１つの可能性が、ユーザに第２のサブセットの値を入力させるために、ユーザのワークステーションがウィンドウを示すことである。その場合、印刷ジョブは画像処理装置２に提出され、画像処理装置２で任意の追加の印刷設定をユーザに要求することなく画像処理装置２により処理される。別の可能性が、ユーザはユーザのワークステーションのインタフェースを介して第２のサブセットの値を要求されず、印刷ジョブは画像処理装置２に送信されることである。ジョブが処理されようとするとすぐに、画像処理装置２の表示手段２５がウィンドウ５（図２）を示す。ウィンドウ５は、印刷が行われる前にユーザが第２の１組の印刷設定の値を入力せざるを得ないような方法で構成される。
【００３６】
スキャンジョブのフローチャートが図７に示されている。スキャンジョブの場合、ユーザは画像処理装置２（図２）まで赴いて（Ｓ７００）、スキャンオプションを選択する（Ｓ７１０）。スキャンオプションの選択は、画像処理装置がスキャンニング機能しか有しない場合、省かれることがある。ユーザは、ユーザ自身、オペレータ、もしくは情報サービス部門により生成された、または納品のときに画像処理装置２と共に提供されたスキャンテンプレートのリスト５１ａからスキャンテンプレートを選択するために（Ｓ７２０）、表示手段２５（図２）上に図４ｂ−１によるウィンドウを得ることができる。ウィンドウは無効にされた開始ボタン５５を含む。選択されたスキャンテンプレートは、スキャンされた文書から得られる結果のファイルの特性を決定する１組のスキャンジョブ設定をユーザに提供する。本発明によれば、値が設定された１組のスキャンジョブ設定は本発明による第１のサブセットと呼ばれる。
【００３７】
スキャンテンプレートを、たとえばテンプレート−１という名称のスキャンテンプレートを選択した後、開始ボタン５５が有効にされる。開始ボタン８（図２）または有効にされた開始ボタン５５は、スキャンジョブを開始させるために押下されることができる（Ｓ７３０）。開始ボタンの１つを押下した直後、図４ｂ−２によるウィンドウが表示手段２５上に示される。ウィンドウは、選択されたスキャンテンプレートの名称５１ｂ、選択されたスキャンテンプレートに属するスキャン設定５２、およびスキャン設定５２に対応する入力フィールド５３を含む。入力フィールド５３は、選択されたスキャンテンプレートに対応するスキャンジョブ設定の第２のサブセットの値を指定するためにユーザにより値で埋められる（Ｓ７４０）ためのものである。たとえば、ユーザはスキャンされた文書がスキャンニング後に送信されなければならない電子メースアドレス、またはスキャンされた文書の所望のファイル形式を指定するよう要求される。具体的には、ユーザは、スキャンジョブを処理するために必要とされ、スキャンテンプレートでまだ設定されていない値を指定する。本発明によれば、これらの値は本発明による第２のサブセットと呼ばれる。入力フィールド５３内に値を入力した後、ジョブは、たとえばこの場合も開始ボタン８を押下することにより（Ｓ７５０）、または図４ｂ−２によるウィンドウの有効にされた開始ボタン５４を押下することにより処理されることができる。
【００３８】
本明細書において上記で説明された実施形態に類似する別の実施形態では、図４ｂ−２によるウィンドウは、スキャン設定５２の第２のサブセットの値をユーザに入力させる（Ｓ７４０）ためにスキャンテンプレートの選択（Ｓ７２０）後、即座に示される。この方法では、開始ボタン８（図２）、または図４ｂ−２によるウィンドウの有効にされた開始ボタン５４が一度だけ押下される必要がある（Ｓ７５０）。
【００３９】
コピージョブのフローチャートが図８に示されている。コピージョブの場合、ユーザは画像処理装置２（図２）に赴いて（Ｓ８００）、コピーオプションを選択する（Ｓ８１０）。コピーオプションの選択は、画像処理装置２がコピー機能だけを有する場合、省かれることがある。ユーザは、ユーザ自身またはオペレータにより生成された、または納品のときに画像処理装置２と共に提供されたコピーテンプレートのリスト６１ａからコピーテンプレートを選択する（Ｓ８２０）ために、表示手段２５（図２）上に図４ｃ−１によるウィンドウを得る。ウィンドウは無効にされた開始ボタン６５を含む。選択されたコピーテンプレートは、元の文書をコピーした結果を決定する１組のコピージョブ設定をユーザに提供する。本発明によれば、値が設定された１組のコピージョブ設定は、本発明による第１のサブセットと呼ばれる。
【００４０】
コピーテンプレートを選択した後、開始ボタン６４が有効にされて、開始ボタン８（図２）または有効にされた開始ボタン６４が、コピージョブを開始させるために押下されることができる（Ｓ８３０）。開始ボタン８または有効にされた開始ボタン６４を押下した直後、図４ｃ−２によるウィンドウが表示手段２５上に示される。ウィンドウは、選択されたコピーテンプレートの名称６１ｂ、選択されたコピーテンプレートに属するコピー設定６２、およびコピー設定６２に対応する入力フィールド６３を含む。入力フィールド６３は、選択されたコピーテンプレートに属するコピー設定の第２の１組６２の値を指定するためにユーザにより値で埋められる（Ｓ８４０）ためのものである。たとえば、ユーザは、文書がコピーされなければならない紙が選択されなければならない出力トレー、コピーの枚数、片面／両面オプションなどを指定する。具体的には、ユーザは、コピージョブを処理するために必要とされコピーテンプレートでまだ設定されていない値を指定する。本発明によれば、それらの値は本発明による第２のサブセットと呼ばれる。入力フィールド６３に値を入力した後、コピージョブは、たとえばこの場合も開始ボタン８を押下することにより（Ｓ８５０）、または図４ｃ−２によるウィンドウの有効にされた開始ボタン６４を押下することにより処理されることができる。
【００４１】
本明細書において上記で説明された実施形態に類似する別の実施形態では、図４ｃ−２によるウィンドウは、コピー設定の第２のサブセット６２の値をユーザに入力させる（Ｓ８４０）ためにコピーテンプレートの選択（Ｓ８２０）後、即座に示される。この方法では、開始ボタン８（図２）、または図４ｃ−２によるウィンドウの有効にされた開始ボタン６４は、一度だけ押下される必要がある（Ｓ８５０）。
【００４２】
上記で説明されたスキャンジョブは、多機能装置またはスキャナ上で処理されることができる。上記で説明されたコピージョブは、多機能装置またはコピー機上で処理されることができる。
【００４３】
本発明が上記の実施形態に基づき説明されたが、当業者は請求項の明確な表現の範囲内に入る別の実施形態を理解する。そのような実施形態は本特許の保護によりカバーされると考えられる。
【図１】
0005628209.tif 000002
【図２】
0005628209.tif 000003
【図３】
0005628209.tif 000004
【図４Ａ−１】
0005628209.tif 000005
【図４Ａ−２】
0005628209.tif 000006
【図４Ｂ−１】
0005628209.tif 000007
【図４Ｂ−２】
0005628209.tif 000008
【図４Ｃ−１】
0005628209.tif 000009
【図４Ｃ−２】
0005628209.tif 000010
【図５】
0005628209.tif 000011
【図６】
0005628209.tif 000012
【図７】
0005628209.tif 000013
【図８】
0005628209.tif 000014